(57)【要約】【課題】  プラネタリウム施設において、複数種の投映機を同時使用した場合の黒レベルの違いを解消する。【解決手段】  数種の投映機が混在するプラネタリウム施設において、２種以上の投映装置を同時使用した際に投映像の黒レベルが一致しない場合に、黒レベルが明るい側の投映機Ｐに設けたフェード装置６により光学的に光量を調整して黒レベルを合致させる。【選択図】    図１
2005258214.tif 000002
【特許請求の範囲】
【請求項１】
複数種の投映機が混在するプラネタリウム施設において、２種以上の投映装置を同時使用した際に投映像の黒レベルが一致しない場合に、黒レベルが明るい側の投映機に設けたフェード装置により光学的に光量を調整して黒レベルを合致させることを特徴とするプラネタリウム施設における投映方法。
【請求項２】
フェード装置を設ける投映機はビデオ画像投映機である請求項１記載のプラネタリウム施設における投映方法。
【請求項３】
投映機の光路上に可動式のフィルター又は絞りを配することにより光学的に光量を調整する手段とした請求項２記載のプラネタリウム施設における投映方法。
【請求項４】
投映機により投映を予定する投映像に合わせて事前に光量の調整量をプログラムし、投映シーンに合わせて光量が連続的に変化するようにした請求項２又は３記載のプラネタリウム施設における投映方法。
【請求項５】
同時使用する各投映機に送出する映像信号から、投映画面全体の輝度レベルと投映画面全体の輝度分布を検出し、光量の調整量に反映させることにより、映像信号に合わせて自動的に黒レベルを調整する請求項２又は３記載のプラネタリウム施設における投映方法。
【請求項６】
複数の投映機でプラネタリウムドームに１つの大画面を構成して投映する際に、個々の投映機の黒レベルにばらつきが出ないように、それぞれの投映機に送る映像信号を一括で処理し、大画面全体の黒レベルを合わせつつコントラスト比を向上させる請求項２又は３記載のプラネタリウム施設における投映方法。
【発明の詳細な説明】
【技術分野】
【０００１】
この発明は、ドームスクリーンにおけるビデオ画像投映装置に関し、特にプラネタリウム等に最適なビデオ画像投映機を用いたビデオ画像投映装置に関する。
【背景技術】
【０００２】
映写機等の単体の投映機により映像を投映する施設に対して、種類の異なる複数の投映機を協働させて映像を投映する施設が、シミュレーション的な映像を提供する球面スクリーン映像施設を中心として存在する。その代表的なものがプラネタリウム施設である。周知のように、プラネタリウム施設はドームスクリーンに恒星投映機より恒星の映像を投映することにより星空を再現することをその本質とする。一方、プラネタリウム投映装置（以下、「プラネタリウム」と略称する）は恒星とは別に、惑星を投映する惑星投映装置を有する他、演出技法の進化に伴い、地上等の風景を投映するスカイライン投映装置や星座絵、座標線、星雲、星団、ポインター等の各種映像の付属投映装置を備えるに至り、更に近年では例えば雷やオーロラ等の天空で起こる自然現象や、例えば宇宙船等の人工物を投映するためのプロジェクターも備えるに至った。そこにおいて使用する機器も従来のようなフィルムや原板を用いた光学式の機器に止まらず、ビデオ画像投映機等の電子式の機器も使用されており、ビデオ画像投映機も予めビデオテープや光学ディスクに記録された映像だけでなく、コンピュータによるグラフィックスを必要に応じてリアルタイムに生成した映像を採用している。
【特許文献１】特開２０００−６６５８２公報
【発明の開示】
【発明が解決しようとする課題】
【０００３】
以上のように、プラネタリウム施設において複数種の投映機が混在する場合、それらが光学式のもの同士なら問題がないが、ビデオ画像投映機が混在する場合は投映像の黒レベルが相違するという問題が生じる。
【０００４】
例えば、光学式の投映機である恒星投映機により星空をドームスクリーンに投映しながら、液晶やＤＬＰ方式のビデオ画像投映機を使ってドームスクリーンに画像を投映するとき、後者の投映機のコントラスト比が低いために黒レベルが明るく投映されてしまって、微光星や天の川などの照度の低い演出が出来なくなってしまっていた。そこで、これを回避するためにＣＲＴ方式の投映機などの高価で明るさの暗いビデオ画像投映機を使わざるを得なかった。
【０００５】
しかし、ＣＲＴ投映機は、プラネタリウムの大ドームに投映するためには光量が少なく、鮮やかな色彩表現をできない問題があった。やむを得ず液晶プロジェクターを使う場合には、投映しないときにレンズ全面を覆う可動式のシャッターを付けて使っていた。この場合、恒星と同時に映像を投映することはできず、無理に投映しても恒星像を著しく悪化させてしまう問題を生じた。
【０００６】
この発明は、以上の課題を解決するために創作されたものであり、複数種の投映機を同時使用した場合でもドームスクリーン上の投映像の黒レベルが一致する投映方法を提供することを目的とする。
【課題を解決するための手段】
【０００７】
この発明の投映方法は複数種の投映機が混在するプラネタリウム施設において、２種以上の投映装置を同時使用した際に投映像の黒レベルが一致しない場合に、黒レベルが明るい側の投映機に設けたフェード装置により光学的に光量を調整して黒レベルを合致させることを特徴とする。
【０００８】
ここでは、フェード装置に関し、上記の発明において投映機の光路上に可動式のフィルター又は絞りを配することにより光学的に光量を調整する手段とする発明も開示する。
【０００９】
又、フェード装置の制御方法に関し、次の各発明も開示する。
(1) 投映により投映を予定する投映像に合わせて事前に光量の調整量をプログラムし、投映シーンに合わせて光量が連続的に変化するようにする。
(2) 同時使用する各投映機に送出する映像信号から、投映画面全体の輝度レベルと投映画面全体の輝度分布を検出し、光量の調整量に反映させることにより、映像信号に合わせて自動的に黒レベルを調整する。
(3) 複数の投映機でプラネタリウムドームに１つの大画面を構成して投映する際に、個々の投映機の黒レベルにばらつきが出ないように、それぞれの投映機に送る映像信号を一括で処理し、大画面全体の黒レベルを合わせつつコントラスト比を向上させる。
【００１０】
この発明の投映方法においては、恒星投映機等の光学式の投映機と同時使用する場合は、フェード装置により光量を絞ることにより黒レベルをそれに合わせて投映する。又、ビデオ画像投映機のみ使用する場合は、光量を制限せずに投映することによりビデオ画像投映機本来の明るく色彩豊かな映像を投映する。
【００１１】
ところで、ドームスクリーンの特性として、一部分に明るいイメージを投映すると、投映部分からの反射光がスクリーン全体に反射を繰り返し、スクリーンのバックグラウンドレベル（黒の度合い）が上がる相互反射という現象がある。そこで、この特性を利用し、投映像のスクリーンによる相互反射がビデオ画像投映機の黒のレベルを上回るときは全光量で投映し、これを下回る場合のみ光量を調節して見た目の黒レベルを維持する。
【発明の効果】
【００１２】
以上の構成よりなるこの発明の投映方法によれば、プラネタリウムにおいて光学式の投映機により星空を投映している場合でも、黒レベルの問題を気にしないで補助投映機として液晶やＤＬＰ方式のビデオ画像投映機を使用することができるので、ＣＲＴ方式のビデオ画像投映機を使用せずに済み、安価でしかも鮮やかな色彩表現を行うことが可能となる。
【００１３】
又、ビデオ画像投映機の光量を調整する手段として、投映機の光路上に可動式のフィルター又は絞りを配することにより光学的に光量を調整する手段を採用しているので、既成のビデオ画像投映機に上記の調整手段を後付けするだけでこの発明の実施に使用できる投映機となるので、極めて低コストでこの発明を実施することが可能となる。
【発明を実施するための最良の形態】
【００１４】
以下、この発明の具体的実施例を添付図面に基づいて説明する。図１はこの発明の投映方法を実施するためのビデオ画像投映機及びその制御装置の電気回路を示すブロック図である。図中符号Ｐはビデオ画像投映機で、その光路上に投映光の光量を調整するための光学式のフェード装置６が配される。上記フェード装置６はフェードコントローラー５により駆動されるものであり、このフェードコントローラーには光量を調整するためのフェード量を決定する機能を有する主コントローラー１から制御信号が送られる。
【００１５】
主コントローラ１はフェード量を決定するためのフェードレート演算部２を有し、上記フェードレート演算部にはビデオ画像投映機Ｐの輝度レベルが入力されると共に、タイムコード及び外部機器のＯＮ／ＯＦＦ信号又はセンサーからのドーム照度が入力され、これらの数値に基づき最適なフェード量を演算する。尚、図中符号３は信号分配器４により分配されたビデオ画像投映機Ｐへの映像信号の輝度レベルを、前記のフェードレート演算部２に出力するための輝度信号加算機である。
【００１６】
次に、前記の制御装置における制御の具体的な手順の流れを図６乃至９のフローチャートを参照しながら説明する。図６は手順の概要を示す図である。ここではビデオ画像投映機の映像出力を積算し（手順Ｓ１）、次いでバックグラウンドレベルを算出し（手順Ｓ２）、更に上記のバックグラウンドレベルをビデオ画像投映機のベース照度と比較し（手順Ｓ３）、数値に差があった場合にフェードレートを変更する（手順Ｓ４、Ｓ５）。
【００１７】
図７は前記の手順Ｓ１及びＳ２の詳細を示す図である。ここでは、ビデオ画像投映機への入力信号の輝度レベルを単位時間（１ライン、１フレーム等）で積分し、すべてのプロジェクターの映像出力を積算し、ビデオ画像投映機の出力とプラネタリウムやスライド投映機等の他の投映機の点灯状況をチェックして（手順Ｓ１１）それらの映像出力を加算し（手順Ｓ１２）、ドームの相互反射の割合（反射率、直径など）から、バックグラウンドレベルを算出する（手順Ｓ１３）。
【００１８】
図８は前記の手順Ｓ４の詳細を示す図である。ここでは、前記の手順１３の結果とビデオ画像投映機のベース照度を比較し、数値に差があった時に、その差をフェードレート変更処理に渡す（手順Ｓ１４）。
【００１９】
図９は前記の手順Ｓ５の詳細を示す図である。ここでは、ビデオ画像投映機のベース照度がドームのバックグラウンドを上回る場合にのみその差に応じたフェードレートをフェード参照テーブルから読み出し（手順Ｓ１５、Ｓ１６）、フェードレートを出力する。又、ビデオ画像投映機のベース照度がドームのバックグラウンドを上回らない場合はフェードを全開にする（手順Ｓ１７）。
【００２０】
次にフェード装置の具体例について説明する。図２はフェード装置の第１実施例を示す図である。このフェード装置１６においては、回転によりリボルバー式に窓がビデオ画像投映機の光路に位置する円板１７の各窓に異なる濃度のフィルターを配し、上記円板をフェードコントローラーからのパルス出力により駆動制御されるモータ１９により回動することにより光学的に光量を調整する手段としている。
【００２１】
図３はフェード装置の第２実施例を示す図である。このフェード装置２６においては、フェードコントローラーからのパルス出力により駆動制御されるモータ２８により、ビデオ画像投映機の光路に位置する光彩絞り２７を開閉することにより光学的に光量を調整する手段としている。
【００２２】
図４はフェード装置の第３実施例を示す図である。このフェード装置３６においては、フェードコントローラーからのパルス出力により駆動制御されるモータにより、ビデオ画像投映機の光路に位置する一対の偏向板３７、３８からなるフィルターの相互位置を変更することにより光学的に光量を調整する手段としている。
【００２３】
図５はフェード装置の第４実施例を示す図である。このフェード装置４６は液晶プロジェクター式のビデオ画像投映機の光源部に組み込まれるものであり、フェードコントローラーからのパルス出力により駆動制御されるモータにより、光路に位置する可動スリット５１を動かすことにより光学的に光量を調整する手段としている。尚、図中符号４７は光源部の放物面鏡、４８はランプ、４９はレンズアレイ、５０はＰＳ偏光変換素子である。
【図面の簡単な説明】
【００２４】
【図１】この発明の投映方法を実施する装置のブロック図
【図２】同上、フェード装置部分の第１実施例の斜視図
【図３】同上、フェード装置部分の第２実施例の側面図
【図４】同上、フェード装置部分の第３実施例の側面図
【図５】同上、フェード装置部分の第４実施例の断面図
【図６】同上、処理の流れを示すフローチャート
【図７】同上、処理の流れを示すフローチャート
【図８】同上、処理の流れを示すフローチャート
【図９】同上、処理の流れを示すフローチャート
【符号の説明】
【００２５】
Ｐ        投映機
６        フェード装置
１６      第１実施例のフェード装置
２６      第２実施例のフェード装置
３６      第３実施例のフェード装置
４６      第４実施例のフェード装置
【図１】
2005258214.tif 000003
【図２】
2005258214.tif 000004
【図３】
2005258214.tif 000005
【図４】
2005258214.tif 000006
【図５】
2005258214.tif 000007
【図６】
2005258214.tif 000008
【図７】
2005258214.tif 000009
【図８】
2005258214.tif 000010
【図９】
2005258214.tif 000011